(57)【要約】【課題】  単一の光源で、効率よく複数の照射空間を得ることができる反射型の照明装置を提供する。【解決手段】  内部に光源を有し、少なくとも上方を照射するよう立設される中空筒体と、前記中空筒体から照射される光の光軸上に配設される少なくとも２以上の反射部材と、前記各反射部材を所定の姿勢に支持する支持部材と、を備える間接照明型の照明装において、前記反射部材に、直上の反射部材に光を透過させる透光部分を設ける。そして、各反射部材が、それぞれ光を反射し、所定の方向を照射可能となる。【選択図】  図４
2005259658.tif 000002
【特許請求の範囲】
【請求項１】
内部に光源を有し、少なくとも上方を照射するよう立設される中空筒体と、
前記中空筒体から照射される光の光軸上に配設される２以上の反射部材と、
前記各反射部材を所定の姿勢に支持する支持部材と、を有する照明装置であって、
前記反射部材は、直上の反射部材に前記光源からの照射光を透過させる透光部分を有し、
前記各反射部材がそれぞれ光を反射し、それぞれ所定の方向乃至領域を照射可能なよう、前記各反射部材を角度設定可能に構成したこと、
を特徴とする照明装置。
【請求項２】
請求項１に記載の照明装置において、
下方の反射部材の透光部分が、直上の反射部材の透光部分より大きくなるよう、各透光部分が段階的に形成されていること、
を特徴とする照明装置。
【請求項３】
請求項１又は２に記載の照明装置において、
前記透光部分は、前記反射部材に切欠部を設けて構成されていること、
を特徴とする照明装置。
【請求項４】
請求項１乃至３いずれか一に記載の照明装置において、
前記反射部材は、
前記透光部分による照射範囲の欠落部を補うよう、前記光源からの照射光を拡散するよう構成されること、
を特徴とする照明装置。
【請求項５】
請求項１乃至４いずれか一に記載の照明装置において、
前記支持部材は、前記中空筒体の上端部に固着された少なくとも３本以上の線材と、前記各線材に摺動自在に取り付けられた各反射部材の繋止部材とから、なること、
を特徴とする照明装置。
【請求項６】
請求項１乃至５いずれか一に記載の照明装置において、
前記中空筒体の下方に、所定の光透過率を有するベース板を配設し、
前記中空筒体の内部の光源により、前記ベース板を照射可能としたこと、
を特徴とする照明装置。
【請求項７】
請求項１乃至６いずれか一に記載の照明装置において、
前記中空筒体の上方に、所定の光透過率を有する透光パイプを立設し、
前記透光パイプ表面の広告図を展示可能としたこと、
を特徴とする照明装置。
【請求項８】
請求項１乃至７いずれか一に記載の照明装置において、
前記反射部材のうち最頂部の反射部材に代えて、看板部材乃至飾り部材を配設し、
前記看板部材乃至飾り部材表面に前記光源からの照射光を導くよう構成したこと、
を特徴とする照明装置。
【発明の詳細な説明】
【技術分野】
【０００１】
本発明は、照明装置に関し、特に、光源から所定距離離隔して設置した反射部材を有し、該反射部材により光を反射させて所望の照射範囲を得る照明装置に関する。
【背景技術】
【０００２】
光源を支柱上方に配置し、直接乃至間接的に照射空間を得る典型的な照明装置に代えて、光源を支持下方に配置するとともに、支柱上方に反射板乃至反射鏡を配置して、照射空間を得る形態の照明装置が知られている。この種の照明装置は、光源及び安定器を下方に据えることができ、保守性に優れているといえる。例えば、特開平８−３２９７０６号公報には、光源からの光を収束させる凸型レンズを設けるとともに、前記収束された光源からの光を拡散する凸型の反射鏡を備える照明装置が紹介されている。また、同公報には、光源自体を上下移動自在とすること、反射鏡の角度を調整自在とすることが提案されている。
【０００３】
また、特開平５−２４２７０６号公報には、支柱上方に角度可変自在の反射板を配置し、下方に照明器具を配置した配光可変型照明装置が紹介されており、その実施例においては、支柱の上端近傍に反射板支持体を設けて、複数の反射板を角度可変に支持させるとともに、各反射板に対応するよう照明器具を配して、配光を自由に変えることのできる構成が示されている。
【０００４】
【特許文献１】特開平８−３２９７０６号公報
【特許文献２】特開平５−２４２７０６号公報
【発明の開示】
【発明が解決しようとする課題】
【０００５】
しかしながら、上記した各公報記載の照明装置／器具において、同時に多方向の照射空間を得ようとする場合、上記特開平８−３２９７０６号公報のように、反射光を拡散させる構成が考えられる。この方式では、同公報にあるように、均一な照射空間を得ることが可能とされているが、任意の方向・範囲のみを照射したい場合には、効率が良いとはいえない。また、効率の観点からすると、特開平５−２４２７０６号公報のように、光源と反射鏡の組を複数用意する構成も考えられる。この方式では、光源と反射鏡の組みの数に応じた数の照射範囲を得ることが可能であるが、光源を複数必要とする結果、保守性が損なわれてしまう。
【０００６】
本発明は、上記した事情を考慮してなされたものであって、その目的とするところは、単一の光源で、効率よく複数の照射空間を得ることができる反射型の照明装置を提供することにある。
【課題を解決するための手段】
【０００７】
前記課題を解決するための手段を提供する本発明の第１の視点によれば、内部に光源を有し、少なくとも上方を照射するよう立設される中空筒体と、前記中空筒体から照射される光の光軸上に配設される２以上の反射部材と、前記各反射部材を所定の姿勢に支持する支持部材と、を有する間接照明型の照明装置が提供される。前記反射部材は、直上の反射部材に前記光源からの照射光を透過させる透光部分を有し、それぞれ角度設定可能に構成される。かくて、前記各反射部材が、それぞれ光を反射し、それぞれ所定の方向乃至領域を照射可能となる。
【発明の効果】
【０００８】
本発明によれば、単一の光源で、効率よく複数の照射空間を得ることができる。また、単一の光源を下方に配置する構成を採用しているため、保守作業も容易な構成となっている。
【発明を実施するための最良の形態】
【０００９】
続いて、本発明の最良の実施の形態について説明する。本発明に係る照明装置は、その好ましい形態において、照明装置全体を支持する中空の筒体（図１の１）と、複数の反射鏡を支持するための線材（図１の２）と、線材（図１の２）によって支持される反射鏡（図１の３ａ、３ｂ）とを備えている。
【００１０】
中空の筒体（図１の１）は、基礎（図１の４）に設けられた孔に、埋設部（図１の１３）を挿入・固着して立設される。中空の筒体（図１の１）は、内部に光源（図１の１１）及び安定器（図１の１２）を備えており、上方の開口部より、光を照射可能となっている。
【００１１】
線材（図１の２）は、弾性を有し、その一端が、中空の筒体（図１の１）に固着された、反射鏡を支持可能な線材である。本実施の形態では、十分な強度を有する４本の線材（図１の２）が、中空の筒体の端部に、均等間隔で固着され、それぞれ、反射鏡（図１の３ａ、３ｂ）を繋止するための繋止部材を摺動自在に備えている。
【００１２】
反射鏡（図１の３ａ、３ｂ）は、略円形のステンレス材からなり、中空の筒体（図１の１）から発せられる光の光軸上に、光源から所定の距離を隔てて、距離Ｌ１の間隔で配置される。本実施の形態では、上下２枚の反射鏡（図１の３ａ、３ｂ）のうち下方の反射鏡（図１の３ｂ）は、その中央部分に、透光部分を構成する直径Φ１の円孔（図１の３１ｂ）が設けられ、ドーナツ状の形状となっている。また、各反射鏡（図１の３ａ、３ｂ）は、線材（図１の２）上に摺動自在に取り付けられた繋止部材によって、４点で所定の角度で固定される。
【００１３】
このようにしてなる照明装置によれば、各反射鏡を繋止部材により、所定の方位・角度に指向させて、複数の照射空間を得ることができる（図３参照）。その理由は、下方の反射鏡（図１の３ｂ）が、その円孔（図１の３１ｂ）以外の部分の鏡面により、光源からの光を、円孔（図１の３１ｂ）による照射範囲の欠落部を補うよう拡散しつつ反射するとともに、円孔（図１の３１ｂ）を介して、上方の反射鏡（図１の３ａ）側へ、光を透過させるようにしたためである。
【００１４】
以上、本発明の好ましい実施の形態について説明したが、本発明は、その原理からも明らかな通り、３枚以上の反射鏡を用いて、多方向・多数の照射空間を得ることができる。この場合、各反射鏡の透光部分の配置は、光源からの光の収束・拡散状況や光源及び各反射鏡間の距離に応じて、設定される。
【００１５】
また、上記した実施の形態では、反射鏡の素材として、適当な反射率と拡散性を得るべく、ステンレス材を使用するものとして説明したが、鏡面を構成可能なその他の素材も十分に適用可能である。例えば、硝子材、樹脂材等の部材に金属を蒸着してよいし、硝子、樹脂、金属の部材に塗装をしてもよいし、アルミニウムやその他の合金等に所望の表面処理を加えて構成してもよい。また、上記いずれか又は全部の反射鏡の鏡面を凸状として、より広い照射空間が得られるようにしてもよい。
【００１６】
また、上記した実施の形態では、保守性の観点から透光面の清掃や交換の必要の無い孔を設けて、透光部分を構成するものとして説明したが、勿論、硝子、樹脂等を嵌め込む構成も採用可能である。また、光源と反射鏡、又は、反射鏡間の距離Ｌ１を十分に取れない場合には、中空の筒体（図１の１）の開口部、又は、透光部分に拡散レンズを嵌め込んで、適当に光を拡散させることも可能である。この場合には、照明装置全体の高さを短くすることができる。
【００１７】
また、透光部分は、円形状の他、矩形、多角形、特殊形状も採用可能であるほか、反射板の一部（半分、第ｎ象限等）を適宜ずらして欠落させた構成であっても良い。
【実施例】
【００１８】
続いて、本発明の一実施例について、図面を参照して詳細に説明する。図２は、本発明の一実施例に係る照明装置ディスプレイ支持装置の正面図である。図１を参照すると、本実施例に係る照明装置は、大きく照明装置全体を支持する中空筒体１と、複数の反射鏡を支持するための線材２と、線材２によって支持される反射鏡３ａ、３ｂ、３ｃとからなっている。
【００１９】
中空筒体１は、基礎４に設けられた孔に、埋設部１３を挿入・固着して立設される。中空筒体１内部には、メタルハライドランプからなる光源１１と、安定器１２とが搭載され、上方の開口部により、光を照射可能となっている。
【００２０】
線材２は、ステンレス製の線材であり、その一端が、中空筒体１に固着され、それぞれ、反射鏡３ａ、３ｂ、３ｃに設けられた孔に挿入され、摺動自在に設けられた繋止部材によって、反射鏡３ａ、３ｂ、３ｃを支持している。
【００２１】
反射鏡３ａ、３ｂ、３ｃは、略円形のステンレス材からなり、中空筒体１から発せられる光の光軸上に、光源から所定の距離を隔てて、それぞれ距離Ｌ１、Ｌ２の間隔で配置される。図３は、一例として、最下方の反射鏡３ｃを表した平面図である。図３を参照すると、反射鏡３ｃの中央には、直径Φ２の円孔３１ｃが設けられ、さらに、その周囲に、線材２を挿入するため小孔３２ｃが設けられている。
【００２２】
図４は、例えば、図３に例示した反射鏡の支持構成の一例を表したＰ−Ｐ’線断面図である。図４を参照すると、反射鏡３ｃは、小孔３２ｃに線材２がそれぞれ挿入され、更に、線材２上を摺動自在に設けられた繋止部材３３ｃにより繋止される。繋止部材は、例えば、テーパ状の外周部と、上端部に螺子部分を有し、螺子止めされて、小孔３２ｃに強く挿入されるに従って、前記テーパ上の外周部が小孔３２ｃに着座し、反射鏡３ｃを所定の位置にロックするよう構成される。そして、各小孔部分で、反射鏡３ｃが繋止されると、反射鏡３ｃの姿勢がロックされるとともに、中空筒体１から反射鏡３ｃまで区間の線材２も略固定される。
【００２３】
また、上記反射鏡３ｃの直近上方の反射鏡３ｂの中央には、直径Φ２より小さい直径Φ１の円孔３１ｂが設けられている。従って、一番下側の反射鏡３ｃの円孔３１ｃを通過した光が、反射鏡３ｂの円孔３１ｂの周囲の鏡面部分を照らすことが可能となっており、更に、反射鏡３ｃの円孔３１ｃ及び反射鏡３ｂの円孔３１ｂを通過した光が、反射鏡３ａを照らすことが可能となっている。
【００２４】
図５、図６は、本実施例に係る照明装置により得られる照射範囲を表した図である。図５を参照すると、一番下の反射鏡３ｃは、そのまま水平状態に設定され、中央の反射鏡３ｂは、正面右側を照射できるよう傾斜され、頂部の反射鏡３ａは、正面奥側を照射できるよう傾斜されている。
従って、図６に表されたように、一番下の反射鏡３ｃは、その円孔３１ｃ以外の鏡面部分で光源１１からの光を反射して、一点鎖線で表された照射空間Ｓ３ｃを形成するとともに、その円孔３１ｃにより、反射鏡３ｂ、３ａ側に、光を透過させる。そして、反射鏡３ｃの直近上方の反射鏡３ｂは、その円孔３１ｂ以外の鏡面部分で光源１１からの光を反射して、点線で表された照射空間Ｓ３ｂを形成するとともに、その円孔３１ｂにより、反射鏡３ａ側に、光を透過させる。そして、反射鏡３ａは、全体の鏡面部分で光源１１からの光を反射して、２点鎖線で表された照射空間Ｓ３ａを形成する。
【００２５】
以上、本発明によれば、単一の光源で、反射鏡の数に応じた多数の照射空間を得ることが得きる。また、図５を参照すれば、明らかな通り、必要な方向のみを照射することができるため、周囲の環境等に配慮することも可能である。
【００２６】
また、上記した実施例の構成に加えて、光源１１と反射鏡３ａ、３ｂ、３ｃ３との間に適宜、光ファイバーや、光透過性のあるアクリルパイプ等を設置することも可能であり、本発明は、装飾性の高い照明装置としても、用いることができる。また、上記した中空筒体１の下方に光透過性のあるアクリルボード等を設置し、光を下方にも照射可能とすれば、より装飾性の高い照明装置が得られる。
【００２７】
また、上記したアクリルパイプの表面に、任意の広告図形等を配することも可能であり、本発明は、広告ディスプレイ装置としても、用いることが可能である。
【００２８】
また、上記した実施例の構成の最頂部の反射鏡３ａに代えて、光透過性のあるアクリルボード等を配置することが可能であり、その表面に、任意の広告図形等を配して、広告ディスプレイ装置としても、用いることが可能である。
【００２９】
また、上記した実施例の構成に加えて、光源からの光路上に、光ファイバー部材を配置し、更には、上記した広告部材と組み合わせて、催事等に利用可能な装飾性の高い照明装置とすることもできる。
【００３０】
また、上記した実施例では、複数の線材を用いて、反射鏡を支持する構成を採用したが、光源からの照射及び反射鏡の反射を極力妨げない範囲において、その他の構成、例えば、一本の支柱に、ヒンジ等を備えた把持部材を設けて、反射鏡を傾動自在に支持する支持部材の構成も採用可能である。
【００３１】
なお、上記実施例では、光源としてメタルハライドランプを用いるものとして説明したが、その他の放電発光光源は勿論として、ハロゲン球、白熱電球等の温度放射光源、ＥＬ（Electro Luminescence）等の電界発光光源を用いることも可能である。
【図面の簡単な説明】
【００３２】
【図１】本発明の一実施の形態に係る照明装置の正面図である。
【図２】本発明の一実施例に係る照明装置の正面図である。
【図３】本発明の一実施例に係る照明装置の反射鏡の平面図である。
【図４】本発明の一実施例に係る照明装置の反射鏡支持部分の断面図である。
【図５】本発明の一実施例に係る照明装置の作用を説明するための図である。
【図６】本発明の一実施例に係る照明装置の作用を説明するための平面図である。
【符号の説明】
【００３３】
１  中空筒体
２  線材
３ａ、３ｂ、３ｃ  反射鏡
４  基礎
５  建物
１１  光源
１２  安定器
１３  埋設部
３１ｂ、３１ｃ  円孔
３２ｃ  小孔
３３ｃ  繋止部材
【図１】
2005259658.tif 000003
【図２】
2005259658.tif 000004
【図３】
2005259658.tif 000005
【図４】
2005259658.tif 000006
【図５】
2005259658.tif 000007
【図６】
2005259658.tif 000008